(57)【要約】      （修正有）【課題】良いサウンド効果が得られる磁浮スピーカーを提供する。【解決手段】磁浮スピーカーは、ベースと、本体と、を備える。ベースは、シェールと、シェールに収納されるコントローラ２７及び下磁体２２と、を有する。ベースの上に浮く本体は、蓋体（上蓋体１１、下蓋体１７）と、蓋体に収納される低音単体１３及び低音単体の周囲に配置される少なくとも二つの全音域単体１２と、上磁体１６と、を有する。上磁体の磁性が、下磁体の磁性と異なる。低音単体は、第１方向に向かって配置され、二つの全音域単体が、第１方向に対して傾斜した第２方向、第３方向に向かって配置され、第２方向および第３方向と、第１方向との間の角度がそれぞれ９０度より小さい。【選択図】図５
2016111693.tif 000002
【特許請求の範囲】
【請求項１】
シェールと、前記シェールに収納されるコントローラ及び下磁体と、を有するベースと、
前記ベースの上に浮上し、蓋体と、前記蓋体に収納される低音単体及び前記低音単体の周囲に配置される少なくとも二つの全音域単体と、上磁体と、を有する本体と、
を備え、前記上磁体の磁性が、前記下磁体の磁性と異なり、前記低音単体は、第１方向に向かって配置され、前記少なくとも二つの全音域単体が、前記第１方向に対して傾斜した第２方向、第３方向に向かってそれぞれ配置され、前記第２方向および第３方向と第１方向との間の角度は、それぞれ９０度より小さいことを特徴とする磁浮スピーカー。
【請求項２】
前記第１方向が上向き、前記低音単体の上表面は、前記全音域単体の上表面に対して上向きに突出することを特徴とする請求項１に記載の磁浮スピーカー。
【請求項３】
前記蓋体が、上蓋部及び下蓋部によって組み立てられ、前記低音単体及び全音域単体が前記上蓋部に固定され、前記上蓋部には、第１貫通孔と、前記第１貫通孔の周囲に形成される複数の第２貫通孔とが形成され、前記低音単体が前記第１貫通孔の下に位置し、前記第１貫通孔から露出され、前記全音域単体が、第２貫通孔の下に位置し、前記第２貫通孔から露出されることを特徴とする請求項１に記載の磁浮スピーカー。
【請求項４】
前記下蓋部には、環状のリブが形成され、前記リブによって、収納スペースが形成され、前記上磁体が、前記収納スペースに収納されることを特徴とする請求項３に記載の磁浮スピーカー。
【請求項５】
前記ベースが前記シェールに収納される超重低音単体を有し、前記ベースのシェールが、天蓋部及び底蓋部によって組み立てられ、前記下磁体が前記天蓋部に保持され、前記超重低音単体及びコントローラが前記底蓋部に固定され、前記底蓋部には露出孔が形成され、前記超重低音単体が前記露出孔から露出されることを特徴とする請求項１に記載の磁浮スピーカー。
【請求項６】
前記ベースには、前記超重低音単体と対応するスピーカーユニットと、ブルートゥースモジュールと、前記スピーカーユニット及びブルートゥースモジュールが半田接続される回路基板と、が配置されることを特徴とする請求項５に記載の磁浮スピーカー。
【発明の詳細な説明】
【技術分野】
【０００１】
本発明は、磁浮スピーカーに関し、特に、良いサウンド効果が得られる磁浮スピーカーに関するものである。
【背景技術】
【０００２】
従来の磁浮スピーカーは、下磁体を含むベースと、上磁体を含む本体と、を備える。前記上磁体の磁性は、下磁体の磁性と異なる。磁性が互いに反発する原理によって、前記本体は、前記ベースの上方に浮上する。前記磁浮スピーカーは、上向きに配置される。
【先行技術文献】
【特許文献】
【０００３】
【特許文献１】台湾実用新案第Ｍ４８６９２０号明細書
【発明の概要】
【発明が解決しようとする課題】
【０００４】
従来技術の前記磁浮スピーカーが上向きに配置されることによって、声は上向きに伝えられる。そのため使用者が磁浮スピーカーの周囲に位置する場合は、サウンド効果が良くない。
【０００５】
そこで、本発明の目的は、良いサウンド効果が得られる磁浮スピーカーを提供することにある。
【課題を解決するための手段】
【０００６】
前記目的を達成するために、本発明の磁浮スピーカーは、ベースと、本体と、を備える。前記ベースは、シェールと、前記シェールに収納されるコントローラ及び下磁体と、を有するベースと、前記ベースの上に浮上する。前記本体は、蓋体と、前記蓋体に収納される低音単体及び前記低音単体の周囲に配置される少なくとも二つの全音域単体と、上磁体と、を有する本体と、を備える。前記上磁体の磁性は、前記下磁体の磁性と異なる。前記低音単体は、第１方向に向かって配置され、前記二つの全音域単体が、第１方向に対して傾斜した第２方向、第３方向に向かってそれぞれ配置され、前記第２方向および第３方向と第１方向との間の角度はそれぞれ９０度より小さい。
【発明の効果】
【０００７】
従来の技術と比べると、本発明は以下の長所を有する。前記低音単体は、第１方向に向かって配置され、前記二つの全音域単体が、傾斜の第２方向、第３方向に向かって配置される。前記第２方向と第３方向とは、第１方向との間の角度が９０度より小さい。これにより、弧状の音場が形成される。音波が弧状の密閉空間に反射され、似ている音質、音量は発生する。前記磁浮スピーカーの周囲の使用者は、似ている声を聞く。
【図面の簡単な説明】
【０００８】
【図１】本発明の磁浮スピーカーの組立斜視図である。
【図２】図１に示す磁浮スピーカーの本体の分解斜視図である。
【図３】図１に示す磁浮スピーカーのベースの分解斜視図である。
【図４】図３に示す磁浮スピーカーの天蓋部の斜視図である。
【図５】図１に示す磁浮スピーカーのＡ−Ａ線に沿って切断する断面図である。
【発明を実施するための形態】
【０００９】
図１及び図５に示すように、本発明の磁浮スピーカー１００は、テーブル等の物体に載置されるベース２と、前記ベース２の上に浮く本体１と、を備える。前記ベース２は、前記テーブルに支持される複数の支持部２６２を有する。
【００１０】
図１及び図２に示すように、前記本体１は、上蓋部１１及び下蓋部１７によって組み立てる蓋体１０と、前記蓋体１０に収納される低音単体１３と、少なくとも二つの全音域単体１２と、基板１４と、環状のワイヤレス充電受信端１５と、上磁体１６と、を備える。前記上蓋部１１には、第１貫通孔１１２と、前記第１貫通孔１１２の周囲に形成される複数の第２貫通孔１１１とが形成される。前記下蓋部１７には、環状のリブ１７０が形成される。前記リブ１７０によって、収納スペース１７０１が形成される。
【００１１】
前記低音単体１３と二つの全音域単体１２とはそれぞれ、前記第１貫通孔１１２と第２貫通孔１１１に収納される。前記低音単体１３の上表面は、前記全音域単体１２の上表面に対して上向きに突出する。前記低音単体１３が前記第１貫通孔１１２の下に位置し、前記第１貫通孔１１２から露出される。前記全音域単体１２が、第２貫通孔１１１下に位置し、前記第２貫通孔１１１から露出される。図５に示すように、低音単体１３は、上方向Ｘに向かって配置される。前記二つの全音域単体１２は、傾斜の方向Ｙ、Ｚに向かって配置される。方向Ｙ、Ｚと方向Ｘとの間の角度は、９０度より小さい。これにより、弧状の音場が形成される。音波が弧状の密閉空間に反射され、似ている音質、音量は発生する。前記磁浮スピーカー１００の周囲の使用者は、似ている音を聞く。
【００１２】
前記基板１４と、ワイヤレス充電受信端１５と、上磁体１６とは、下蓋部１７の収納スペース１７０１に収納される。前記上磁体１６が、ワイヤレス充電受信端１５に包囲される。基板１４は、ワイヤレス充電受信端１５及び上磁体１６の上に配置される。
【００１３】
図１、図３及び図４に示すように、前記ベース２は、天蓋部２１及び底蓋部２６によって組み立てるシェール２０と、前記シェール２０に収納される超重低音単体２５と、回路基板３０と、前記回路基板３０に半田接続されるブルートゥースモジュール２４及びスピーカーユニット２９と、コントローラ２７と、環状のワイヤレス充電送信端２３と、蓄電装置２８と、下磁体２２と、を有する。前記天蓋部２１には、保持部２１０が設けられる。前記底蓋部２６には、露出孔２６０と、充電装置と電気接続電線を通すための窪所２１２と、が形成される。
【００１４】
前記下磁体２２は、ワイヤレス充電送信端２３に包囲される。前記下磁体２２及びワイヤレス充電送信端２３は、前記天蓋部２１の保持部２１０に保持される。前記超重低音単体２５と、ブルートゥースモジュール２４及びスピーカーユニット２９と、回路基板３０と、コントローラ２７とは、前記底蓋部２６に固定される。下磁体２２と前記超重低音単体２５から発生する音は、前記スピーカーユニット２９によって拡散される。前記上磁体１６の磁性は、下磁体２２の磁性と異なる。前記超重低音単体２５は、前記露出孔２６０から露出される。前記天蓋部２１には、ＬＥＤモジュール２１１が設けられる。
【００１５】
前記底蓋部２６が充電された後、蓄電装置２８によって電気が蓄えられ、本体１に電気が提供される。ブルートゥースモジュール２４及び蓄電装置２８は、基板１４によって制御される。
【００１６】
図１及び図５に示すように、本体１の上磁体１６の磁性は、ベース２の下磁体２２の磁性と異なる。磁性が互いに反発する原理によって、前記本体１は、前記ベース２の上に浮上する。これにより、前記本体１が前記ベース２の空間を占めず、広い音域が得られる。前記本体１は、コントローラ２７によって、前記ベース２の上に安定して浮上する。前記低音単体１３及び全音域単体１２が前記本体１に配置され、前記超重低音単体２５が前記ベース２に配置されることによって、前記スピーカー１００は、良い音響効果が得られる。前記ワイヤレス充電送信端２３が電気接続される場合、前記ワイヤレス充電送信端２３は前記本体１に対して充電を行い、ワイヤレス充電機能が実現する。前記ベース２には、蓄電装置２８が配置される。前記ベース２が充電された後、蓄電装置２８によって電気が蓄えられ、本体１に電気が提供され続ける。前記ベース２が外部電源から取り外れされた場合でも、前記スピーカー１００は使用することができる。前記スピーカー１００は、ブルートゥースモジュール２４を備える。前記ブルートゥースモジュール２４によって、外部からの音信号を受ける。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１００  磁浮スピーカー
１  本体
１０  蓋体
１１  上蓋部
１１１  第２貫通孔
１１２  第１貫通孔
１２  全音域単体
１３  低音単体
１４  基板
１５  ワイヤレス充電受信端
１６  上磁体
１７  下蓋部
１７０  リブ
１７０１  収納スペース
２  ベース
２０  シェール
２１  天蓋部
２１０  保持部
２１１  ＬＥＤモジュール
２１２  窪所
２２  下磁体
２３  ワイヤレス充電送信端
２４  ブルートゥースモジュール
２５  超重低音単体
２６  底蓋部
２６０  露出孔
２６２  支持部
２７  コントローラ
２８  蓄電装置
２９  スピーカーユニット
３０  回路基板
【図１】
2016111693.tif 000003
【図２】
2016111693.tif 000004
【図３】
2016111693.tif 000005
【図４】
2016111693.tif 000006
【図５】
2016111693.tif 000007